(57)【要約】【課題】移動通信端末で、ＷＥＢを介したキーワード検索を行うとき、手動による文字入力、誤認による不要なＷＥＢアクセスに関して、労力削減、コスト削減を図る手段を提供する。【解決手段】音声認識機能付きの移動通信端末を用いて、ＷＥＢを介して検索したいキーワードを、音声情報として入力する。そして、この音声情報を、端末内で音声認識をして、テキストデータとして変換を行う。このとき表示部に文字情報を表示すると、ユーザが確認を行い、ＷＥＢアクセスの可否を決定することができ、その後、インターネット網にアクセスして文字情報を送信し、ＷＥＢ検索サーバにてキーワード検索を行う。検索結果は受信され、表示部に表示される。【選択図】      図２
2004265217.tif 000002
【特許請求の範囲】
【請求項１】
音声情報を入力する音声入力部と、
入力された音声情報を認識し、音声認識されたデータを文字データに変換する音声文字変換手段と、
前記文字データと、前記文字データによってキーワード検索するためのＷＥＢブラウザとを記憶するメモリと、
所定のＷＥＢ検索サーバに対して自動的に接続を行い、前記メモリに記憶された文字データをＷＥＢ検索キーワードとして前記ＷＥＢ検索サーバに送信し、キーワード検索を行った検索結果を受信する制御を行う制御部と、
前記検索結果を表示する表示部とを有する移動通信端末。
【請求項２】
前記ＷＥＢ検索用キーワードを認識した場合、前記表示部は、前記ＷＥＢ検索サーバにアクセスを行う前に、認識結果を表示する請求項１記載の移動通信端末。
【請求項３】
前記制御部は、表示部における認識結果の表示のあと、文字データの修正は手動文字入力、再度の音声入力のいずれも可能である請求項２記載の移動通信端末
【請求項４】
検索結果の表示及び修正の確認後、ＷＥＢ検索サーバへのアクセスの可否を促す手段を持つ請求項２および３記載の移動通信端末
【請求項５】
移動通信端末は、音声入力されたキーワードデータを文字データに変換した後、ＷＥＢ検索用ブラウザを起動することにより、インターネット網を介してＷＥＢ検索サーバにアクセスし、前記文字データをインターネット網に送信し、
パケット通信で送信されてきた検索キーワード用文字データに関する情報をＷＥＢ検索サーバで検索し、検索結果のデータを端末に返信するキーワード検索を行う方法。
【発明の詳細な説明】
【０００１】
【発明の属する利用分野】
本発明は移動無線端末で、インターネットでキーワード検索を行うとき、端末に向かって検索したいキーワードを音声入力するだけで、簡易にＷＥＢ検索を行うことができる音声認識機能付き移動無線端末に関する。
【０００２】
【従来の技術】
従来、インターネットを介してキーワード検索を行える携帯電話機では、検索したいキーワードを手動文字入力で行っていたため、キーワード入力操作から検索結果を表示するまで手間と時間がかかっていた。
【０００３】
ほかに特開２００２−０４４２５６号公報に記載されている携帯電話機でのインターネット検索システムでは、「携帯電話用インターネット情報・音声検索システム」を利用した検索システムがある。
【０００４】
図８に示すように、この従来の携帯電話でのインターネット検索システムは、携帯電話機１と、携帯電話基地局１３と、携帯電話回線網１６と、インターネットセンター２３と、インターネット網１４と、携帯電話用インターネット情報・音声検索システム２４とを有する。携帯電話用インターネット情報・音声検索システム２４は、携帯電話回線網１６を通じて接続される携帯電話機１からの信号を受信する携帯電話受信部１７と、携帯電話機１に向けて合成音声による案内音声を流す音声応答装置１８と、携帯電話機１から送られてくる通話音声を音声認識して文字データ情報に変換する音声認識装置２１と、検索対象とする種々の情報を予め所定のデータ形式で格納した検索情報データベース２０と、変換された文字データ情報の内容に基づいて検索情報データベース２０にアクセスし所望の情報検索を行う情報検索処理部１９と、得られた検索結果を電子メールや画像、音声などの所定の形式でインターネット網１４を通じて携帯電話機１に電子メールにて送信する検索情報送信用サーバ２２とから構成される。
【０００５】
携帯電話機１から携帯電話用インターネット情報・音声検索システム２４にアクセスして情報を検索したい場合、ユーザは、携帯電話機１のダイヤルボタンを押して携帯電話用インターネット情報・音声検索システム２４を呼出し、携帯電話基地局１３、携帯電話回線網１６を通じて携帯電話用インターネット情報・音声検索システム２４に接続する。
【０００６】
この回線を音声応答装置１８に接続し、ユーザに対して、音声によって案内メッセージを流し、ユーザから情報検索に必要な情報を音声によって収集する。
【０００７】
音声信号は音声認識装置２１に送られ、音声認識され、データベース等の記憶手段に記憶される。
【０００８】
携帯電話用インターネット情報・音声検索システム２４の情報検索処理部１９は、検索情報データベース２４にアクセスし、上記案内メッセージに従って順次収集された検索条件を満たす情報を検索する。そして、情報検索処理部１９はこの検索結果を検索情報送信用サーバ２２に送る。検索情報送信用サーバ２２は、この検索結果に基づいて、情報のあるＵＲＬ等を記載したメールを作成し、ユーザに対して、インターネット網１４を通じて電子メールで送信する。ユーザはこの電子メールにあるＵＲＬをクリックすることなどで、求めたい情報のあるＨＰへアクセスすることが可能となる。
【０００９】
【特許文献１】
特開２００２−０４４２５６号公報
【００１０】
【発明が解決しようとする課題】
しかし、この従来技術には、次のような問題点があった。
【００１１】
第１の問題点は、携帯電話機がアクセスする装置（インターネット検索システム）毎に、装置側の開発が必要であるということである。
【００１２】
その理由は、携帯電話機には従来の電話機のままで、新規の機能は持たせないからである。
【００１３】
第２の問題点は、ＷＥＢ検索操作が簡易では無いということである。
【００１４】
その理由は、検索情報については通常の携帯電話回線を通じて音声認識により収集し、得られた検索結果についてはインターネット網を通じて文字情報や画像、音声等の所望の形式で携帯電話機に向けて電子メールまたはＷＥＢのＵＲＬをメールにて送信することにより情報が得られるようにしているので、検索結果を見るにはメールを開き、ＵＲＬ（ユニフォーム・リソース・ロケーター）にアクセスする操作が必要である。
【００１５】
第３の問題点は、ＷＥＢ検索結果の取得完了までの時間が長くかかるということである。
【００１６】
その理由は、検索するための音声データは、通常の携帯電話回線を通じて音声認識により、情報を収集する。仮にこの時誤認された場合は、検索結果の誤認データが、インターネット網を通じて文字情報や画像、音声等の所望の形式で携帯電話機に向けて電子メールまたはＷＥＢのＵＲＬをメールにて送信することにより情報が得られる。従って誤認された場合、検索結果を見るためにメールを開いた時に初めて確認できるため、時間的ロスが大きい。
【００１７】
【課題を解決するための手段】
本発明における音声認識機能付き移動通信端末においては、音声情報を入力できる音声入力手段と、入力された音声情報を認識し、音声認識されたデータを文字データ等の文字に変換する手段と、このデータを格納する記憶手段とを具備する。
【００１８】
本発明では、移動通信端末に音声認識機能を設けることで、ＷＥＢ検索したいキーワードを音声入力で行うことが特徴である。
【００１９】
これにより、音声入力を行った後、直ちに端末内で文字変換を行い、この文字で示されたデータで、ＷＥＢを介したキーワード検索を行う方法を提供する。
【００２０】
また、他に文字に変換した後、表示部にて文字表示を行うことで、誤認、及び検索実行の可否の確認をユーザに取る場合も可能である。この場合は、ユーザへの確認後、正しいキーワードとして認識されて初めてＷＥＢ検索サーバに対してアクセスを行い、インターネット網経由でキーワード検索を行う。
【００２１】
これらの手段により、従来例にあるような音声入力された音声データをそのままインターネット網を通じて、アクセス先にある音声認識装置によって音声情報を文字情報に置き換えた後、キーワード検索する場合より、検索時間の短小、及び通信費の向上を図ることが可能である。
【００２２】
請求項１記載の移動通信端末は、キーワード検索したい場合、このキーワードを音声入力用マイクに向かって音声入力するのみで、端末内で、この音声情報が音声認識される。そして、この音声認識されたデータが文字データに変換され、検索用キーワードを生成させることができる。
【００２３】
検索用キーワードを認識した場合、端末内に登録されているＷＥＢ検索用ブラウザを起動させ、自動的にＩＰ接続をしてＷＥＢ検索サーバにアクセスを行う。そして、この検索用キーワードを検索にかけ、
ＷＥＢサーバにある検索情報データベースから得られた検索結果を受信して端末の表示部に表示を行うことができる。
【００２４】
請求項１記載の移動通信端末によれば、ユーザが検索したいキーワードを音声入力した場合、直ちにユーザの操作なしにＷＥＢ検索サーバにアクセスを行い、検索結果を受信して端末の表示部に表示を行う。
【００２５】
つまり、ユーザは音声入力をするのみで、自動的に検索結果が表示されることとなる。
【００２６】
請求項２記載の移動通信端末によれば、音声認識されて文字データに変換された検索用キーワードで、ＷＥＢ検索サーバにアクセスする前にこのキーワードの音声認識結果で一旦表示部に表示を行う。このキーワードをユーザが確認して、アクセスの可否を判断してから、ＩＰ接続を行う。
【００２７】
すなわち、この場合には、音声認識するときに生じる誤認、または漢字の相違などによる誤認キーワードのまま、ＷＥＢ検索サーバにアクセスすることを防ぐ。これにより、無駄な通信費用を抑えることが可能となる。
【００２８】
またこの時に、手動文字入力により、文字データの文字の変更、もしくは再度音声入力を行うことで正しいキーワードに修正を行うことが可能である。
【００２９】
請求項５記載の音声認識機能を利用した移動通信端末のキーワード検索システムでは、前記記載の移動通信端末がＷＥＢブラウザを起動して、音声入力されたキーワードの音声データを音声認識後、音声文字変換機能により、文字データとして、たとえばテキストデータに変換を行う。
【００３０】
そして、このデータをパケット通信でインターネット網を介してＷＥＢ検索サーバに送信する。ＷＥＢ検索サーバでキーワード検索を行い、この検索結果を受信して端末から閲覧することにより、キーワードに関する情報を入手することが可能となる。
【００３１】
【発明の実施の形態】
以下、本発明の実施の形態について図面を用いて詳細に説明する。
【００３２】
図１は本発明を適用した検索システムの概要を示すブロック図である。
【００３３】
図１に示すように、移動通信端末である携帯電話機１のアンテナ４から送受信データは、携帯電話基地局１３で受信され、インターネット網１４経由で、ＷＥＢ検索サーバ１５にアクセスする。
【００３４】
なお、図１では、携帯電話基地局１３に接続する無線制御装置および交換回線網については省略されている。
【００３５】
図２は本発明の実施の形態における携帯電話機１の電気回路系を示すブロック図である。
【００３６】
図２を参照すると、携帯電話機１は、表示部２と、キー操作部３と、アンテナ４と、メモリ５と、制御部６と、無線部７と、変復調部８と、ベースバンド処理部９と、音声処理部１０と、音声入力部としてのマイク１１と、スピーカ１２とから構成される。
【００３７】
無線部７は、アンテナ４からの受信信号をフィルタリング処理し、また送信信号を増幅してアンテナ４へ出力する。
【００３８】
変復調部８は、受信信号をＲＦ処理し、復調して受信ベースバンド信号に変換する。また、送信用ベースバンド信号を変調して送信信号に変換し無線部７に送信する。
【００３９】
ベースバンド処理部９は、受信ベースバンド信号を復号化して音声信号を生成しスピーカ１２に出力して音声を再生する。また、変復調部８からの受信ベースバンド信号のうち、音声以外の画像、メール等のデータに関しては、制御部６により読み出され、表示部２や後述するメモリ５に出力される。またベースバンド処理部９は、マイク１１から入力された音声を符号化し、送信用ベースバンド信号を生成する。音声以外の送信データは制御部６から供給されて必要な処理を施し、ベースバンド処理部９を経由して変復調部８に出力される。
【００４０】
制御部６は、上述の一連の送受信処理を含む携帯電話機全体の制御を行っている。メモリ５は、携帯電話機の動作、制御に必要なシステムプログラム、ＷＥＢ検索のためのブラウザ、データを記録している。
【００４１】
音声処理部１０は、マイクから音声を認識しテキストデータに変換する処理を実行する。この変換処理は制御部６により音声認識機能を有効にされたときに実行される。ここでは文字データとして、テキストデータを例にあげているが、テキストデータ以外の文字データに変換されてもよい。
【００４２】
図３は図２に示す携帯電話機１の動作を示すフローチャート図である。図４は図１に示す検索システムにおけるＷＥＢ検索サーバ１５の動作を示すフローチャート図である。また図５は図２に示す携帯電話機１の画面表示イメージの一例を示す平面図である。
【００４３】
まず、携帯電話機１からＷＥＢ検索サーバ１５に対するＩＰ発信開始と、ＩＰ通信の確立までの手順を説明する。
【００４４】
携帯電話機１のユーザが、あるキーワードを含んだＷＥＢサイトを検索したいと思った時の為に、あらかじめ設定操作を行う。その設定操作とは、操作部３にてあるキー操作を行うことにより、制御部６の制御の下に音声処理部１０の音声認識機能を有効にし、かつ、音声入力された言葉をキーワードとしてあらかじめメモリ５に登録すること、またＷＥＢ検索サーバ１５に対してＩＰ接続要求するか否かを設定することのための操作である。
【００４５】
この操作による設定の状態は制御部６によりメモリ５に記憶される。
【００４６】
音声認識有効でＷＥＢ検索サーバ１５に対するＩＰ接続要求を行う設定をした場合（図３のＳ１）、携帯電話機１のユーザははじめにマイク１１に向かって、ＷＥＢ検索キーワードとなる言葉（本実施の形態の場合、例えば「釣りスポット（つりすぽっと）」を検索キーワードとする）を音声入力する。
【００４７】
その音声データは音声処理部１０において音声認識され（図３のＳ２）、制御部６が音声入力されたキーワードをテキストデータ（「つりすぽっと」というテキストデータ）に変換し、メモリ５に格納する（図３のＳ３）。
【００４８】
制御部６はＷＥＢ検索サーバ１５に対するＩＰ接続要求を行うか否かを、メモリ５に登録した設定を参照し（図３のＳ４）、ＩＰ発信を行うと判断した場合、メモリ５に記憶されたＷＥＢ検索用ブラウザに基づいて、あらかじめユーザが登録しているＷＥＢ検索サーバ（所定の検索サイト）１５へのＩＰ接続処理を行う（図３のＳ６）。
【００４９】
ＩＰ発信を行わないと判断した場合、通常の音声認識機能として処理される。この処理とは、例えばキー操作部の特定のキーの長押しに続けて、マイクに向かい、キーワードを話すことで、電話帳、メール作成、着信音量設定などの呼び出したい機能を起動させることである（図３のＳ５）。
【００５０】
この接続を行う前に、制御部６は予め、表示部２に音声認識結果の文字を表示しておいてもよい。この表示により、音声認識誤りに気付き、再度キーワードの音声入力が可能となる。すなわち、誤認を確認した場合、直ちにアクセスを中止して、再度の音声入力、もしくはその表示された文字に対して、制御部６による手動の文字入力で修正を加えることも可能である。
【００５１】
ＩＰ発信する動作は、制御部６がベースバンド処理部９に携帯電話基地局１３との通信を開始する旨指示し、ベースバンド処理部９は無線通信の為のタイミング制御や送受信信号のデータ処理等を行う。ベースバンド処理部９は変復調部８に指示し、無線信号の変復調動作を行わせ、携帯電話基地局１３との無線信号の通信を確立する。携帯電話機基地局１３は、インターネットサービスプロバイダを含むインターネット網１４を経由し、ＷＥＢ検索サーバ１５に接続する。ＷＥＢ検索サーバ１５のＩＰ接続処理までの動作は図４のフローチャートを参照すると、図３のＳ４によりＩＰ接続要求があるかを判断し（図４のＳ４１）、要求ありの場合、ＩＰ接続処理を行う（図４のＳ４２）。
【００５２】
尚、マイク１１からの入力音声をテキストデータ変換（図３のＳ３）する際、制御部６はひらがなだけで無く単語や文節を判断し、かな漢字変換を行う機能を有する。例えば、検索キーワードを「つりすぽっと」と音声入力した場合、「つりスポット」や「釣りすぽっと」や「釣りスポット」といった具合に、携帯電話機ユーザが変換候補から検索キーワードを決定出来るものとする。
【００５３】
こうして、携帯電話機１はＷＥＢ検索サーバ１５とＩＰ接続が確立する。
【００５４】
次に、携帯電話機１から検索キーワードをＷＥＢ検索サーバ１５に送信し、ＷＥＢ検索サーバ１５から検索結果を受信し、携帯電話機１の画面表示を行うまでの手順を説明する。
【００５５】
携帯電話機１の制御部６は前記のメモリ５に格納した検索キーワードのテキストデータを読み出し、ベースバンド処理部９に指示し、変復調部８及び無線部７及びアンテナ４を経由して、携帯電話基地局１３に無線信号として送信する（図３のＳ７）。
【００５６】
携帯電話基地局１３はインターネット網１４を通じて、ＷＥＢ検索サーバ１５に送信する。そして携帯電話機１の制御部６は、メモリ５にインストールされているＷＥＢブラウザを起動し（図３のＳ８）、ＷＥＢ検索サーバ１５からのキーワード検索結果の受信を待つ（図３のＳ９）。
【００５７】
ＷＥＢ検索サーバ１５側ではＷＥＢ検索キーワードを受信したかを判断し（図４のＳ４３）、受信した場合、そのキーワードでＷＥＢデータベース検索を行う（図４のＳ４４）。ＷＥＢ検索を完了したら検索結果をインターネット網１４及び携帯電話基地局１３を経由して、携帯電話機１に対して送信する（図４のＳ４５）。
携帯電話機１側では、ＷＥＢ検索サーバ１５からのキーワード検索結果を受信した旨、制御部６で判断した場合（図３のＳ９）、ＷＥＢブラウザに指示して表示部２への表示処理を行う（図３のＳ１０）。図５は、このときの携帯電話機１の表示部上の画面イメージの一例である。図５に示すように、キーワード「釣りスポット」の検索結果（ＵＲＬ）が表示部２に表示される。
【００５８】
こうして、携帯電話機のユーザは、期待したキーワードでのＷＥＢ検索結果を画面上で確認することができる。
【００５９】
もちろんＷＥＢ検索結果に表示されたＵＲＬへの接続は、従来の携帯電話機やパソコンのＷＥＢブラウザにすでにある通り、表示部２においてＵＲＬ表示位置にカーソル選択することでジャンプすることができるものとする。
【００６０】
以上、本発明の実施の形態の中では、従来の携帯電話機で必要な操作（携帯電話機のユーザがＷＥＢブラウジングしながらＷＥＢ検索サイトにたどり着き、検索キーワードを操作部を使用して一字ずつ入力する様な面倒な操作）が無い。携帯電話機に向かって検索したいキーワードを喋るだけという簡易な方法で、ＷＥＢ検索結果を画面表示可能な点が、本発明の実施の形態の特徴である。
【００６１】
図６は本発明による他の実施の形態の動作を示すフローチャートである。
【００６２】
前述の実施の形態では、あらかじめ携帯電話機１の設定操作において、音声認識機能を有効にし、かつ、音声入力された言葉をキーワードとしてあらかじめメモリ５に登録しＷＥＢ検索サーバ１５に対してＩＰ接続要求するか否かを設定する操作を行い、ＩＰ発信要求する旨を設定した場合は、キーワードの音声入力後、自動的にＷＥＢ検索サーバ１５にＩＰ発信していた。
【００６３】
ここで説明する本発明の他の実施の形態では、自動的にＷＥＢ検索サーバ１５にＩＰ発信する際に、携帯電話機１のユーザに対して、本当に発信しても良いかどうかを促す画面表示を行い、接続するか否かをユーザに選択させる機能を持たせる。
【００６４】
まず、携帯電話機１からＷＥＢ検索サーバ１５に対するＩＰ発信開始と、ＩＰ通信の確立までの手順を説明する。
【００６５】
携帯電話機１のユーザが、あるキーワードを含んだＷＥＢサイトを検索したいと思った時の為に、前述の実施の形態と同様にあらかじめ設定操作を行う。その設定操作とは、操作部３にてあるキー操作を行うことにより、音声認識機能を有効にし、かつ、音声入力された言葉をキーワードとしてあらかじめメモリ５に登録しＷＥＢ検索サーバ１５に対してＩＰ発信要求するか否かを設定する操作のことである。
【００６６】
音声認識有効でＷＥＢ検索サーバ１５に対するＩＰ発信要求を行う設定をした場合（図６のＳ６１）、携帯電話機のユーザははじめにマイク１１に向かって、ＷＥＢ検索キーワードとなる言葉（本実施の形態の場合、例えば「釣りスポット（つりすぽっと）」を検索キーワードとする）を音声入力する。携帯電話機１ではその音声データを音声処理部１０において音声認識し（図６のＳ６２）、制御部６が音声入力されたキーワードをテキストデータ（「つりすぽっと」というテキストデータ）に変換し、メモリ５に格納する（図６のＳ６３）。
【００６７】
その後、表示部に認識結果の文字表示を行う（図６のＳ６４）。
【００６８】
ユーザは、この表示部の認識結果が誤認されていないかを確認する。（図６のＳ６５）
誤認されていた場合、この表示部にある文字の修正を行う。このとき、ユーザは、手動文字入力を行うか、再度音声入力を行うかを選択する（図６のＳ６Ｆ）。
【００６９】
制御部６はＷＥＢ検索サーバ１５に対するＩＰ接続要求を行うか否かを、メモリ５に登録した設定を参照し（図６のＳ６６）、ＩＰ発信を行うと判断した場合、ＷＥＢ検索サーバ１５へのＩＰ発信とＷＥＢ検索を行うかどうかを表示部２に表示し、携帯電話機ユーザに選択を促す（図６のＳ６７）。この時の携帯電話機１の画面表示イメージを図７に示す。
【００７０】
ＩＰ発信を行わない場合には、通常の音声認識機能として処理される。この処理とは、例えばキー操作部の特定のキーの長押しに続けて、マイクに向かい、キーワードを話すことで、電話帳、メール作成、着信音量設定などの呼び出したい機能を起動させることである（図６のＳ６Ｄ）。
【００７１】
図７において、表示部２には音声認識結果の文字が表示される。このとき、そのままＷＥＢ検索を行う場合には、ＹＥＳボタンを押下するが、表示された文字の誤認を確認した場合、ＮＯボタンを押下することにより、直ちにアクセスを中止して、再度の音声入力、もしくはその表示された文字に対して、操作部３による手動の文字入力で修正を加えることも可能である。
【００７２】
ユーザがＹＥＳを選択した場合、あらかじめユーザが登録しているＷＥＢ検索サーバ１５へのＩＰ接続処理を行う（図６のＳ６８）。
【００７３】
ＩＰ発信する動作は、前述の実施の形態と同様である。
【００７４】
携帯電話機基地局１５は、インターネットサービスプロバイダを含むインターネット網１４を経由し、ＷＥＢ検索サーバ１５に接続する。ＷＥＢ検索サーバ１５の動作は図４のフローを参照すると、ＩＰ接続要求があるかを判断し（図４のＳ４１）、要求ありの場合、ＩＰ接続処理を行う（図４のＳ４２）。
【００７５】
尚、入力音声をテキストデータ変換（図６のＳ６３）する際、変換データはひらがなだけで無く単語や文節を判断し、かな漢字変換を行う機能を有する。例えば、検索キーワードを「つりすぽっと」と音声入力した場合、「つりスポット」や「釣りすぽっと」や「釣りスポット」といった具合に、携帯電話機ユーザが変換候補から検索キーワードを決定出来るものとする。
【００７６】
こうして、携帯電話機１はＷＥＢ検索サーバ１５とＩＰ接続が確立する。
【００７７】
次に、携帯電話機から検索キーワードを検索ＷＥＢ検索サーバ１５に送信し、検索ＷＥＢ検索サーバ１５から検索結果を受信し、携帯電話機１の画面表示を行うまでの手順を説明する。
【００７８】
携帯電話機１の制御部６はメモリ５に格納した検索キーワードのテキストデータを読み出し、ベースバンド処理部９に指示し、変復調部８及び無線部７及びアンテナ４を経由して、携帯電話基地局１３に無線信号として送信する（図６のＳ６９）。
【００７９】
携帯電話基地局１３はインターネット網１４を通じて、ＷＥＢ検索サーバ１５に送信する。そして携帯電話の制御部６は、メモリ５にインストールされているＷＥＢブラウザを起動し（図６のＳ６Ａ）、ＷＥＢ検索サーバ１５からのキーワード検索結果の受信を待つ（図６のＳ６Ｂ）。
【００８０】
ＷＥＢ検索サーバ１５側ではＷＥＢ検索キーワードを受信したかを判断し（図４のＳ４３）、受信した場合、そのキーワードでＷＥＢデータベース検索を行う（図４のＳ４４）。ＷＥＢ検索を完了したら検索結果をインターネット網１４及び携帯電話基地局１３を経由して、携帯電話機１に対して送信する（図４のＳ４５）。
【００８１】
携帯電話機側では、ＷＥＢ検索サーバからのキーワード検索結果を受信した旨、制御部６で判断した場合（図６のＳ６Ｂ）、ＷＥＢブラウザに指示して表示部２への表示処理を行う（図６のＳ６Ｃ）。携帯電話機１の表示部２上の画面イメージの一例は（図５）に示す。
【００８２】
こうして、携帯電話機１のユーザは、期待したキーワードでのＷＥＢ検索結果を画面上で確認することができる。
【００８３】
もちろんＷＥＢ検索結果に表示されたＵＲＬへの接続は、従来の携帯電話機やパソコンのＷＥＢブラウザにすでにある通り、ＵＲＬ表示位置にカーソル選択する事でジャンプすることができるものとする。
【００８４】
以上の本発明の他の実施例の中では、前記の実施例での特徴に加え、ＷＥＢ検索キーワードが音声入力されてＷＥＢ検索サーバ１５に自動的にＩＰ発信を行う際に、携帯電話機ユーザに対して、本当にＩＰ発信とＷＥＢ検索を行うかどうかの判断を促す点が、本発明の他の実施例での特徴である。
【００８５】
なお、本発明における移動通信端末は、携帯電話、ＰＨＳなどの移動通信用に使用される端末である。
【００８６】
【発明の効果】
本発明の音声認識装置付き移動通信端末では、ＷＥＢを介したキーワード検索を行うとき、検索したいキーワードを文字入力に代えて音声入力を行うことで、手動で文字を入力する手間を省き、キーワード検索の効率化を図ることができる。
【００８７】
また、音声認識した音声情報は、移動通信端末内でテキストデータに変換し、このデータでＷＥＢを介したキーワード検索が行われるので、ＷＥＢアクセス先で、誤認される可能性が低く、したがって無駄な通信料金が発生することがない。
【００８８】
また、誤認情報があっても、ＷＥＢ検索サーバへの接続前に、移動通信端末側で認識結果を表示することにより、検索前にテキスト情報としてユーザが目で確認でき、さらに同じ言葉で漢字の異なるキーワードにおいても、確認するときにユーザが漢字変換による修正を行うことで、ＷＥＢ検索サーバにおける検索前に更に精度を高めた検索キーワードの作成を行うことが可能となる。
【図面の簡単な説明】
【図１】本発明の移動通信端末のシステムの概要図。
【図２】携帯無線端末の電気回路系を示すブロック図。
【図３】本発明の実施の形態における移動通信端末の動作フロー図。
【図４】本発明の実施の形態におけるＷＥＢ検索サーバの動作フロー図。
【図５】本発明の実施の形態におけるキーワード検索結果の画面表示イメージ。
【図６】本発明の他の実施の形態における移動通信端末の動作フロー図。
【図７】本発明の実施の形態におけるキーワード検索結果の画面表示イメージ。
【図８】従来の移動通信端末におけるインターネット検索システムの概要図。
【符号の説明】
１    携帯電話機
２    表示部
３    キー操作部
４    アンテナ
５    メモリ
６    制御部
７    無線部
８    変復調部
９    ベースバンド処理部
１０    音声処理部
１１    マイク
１２    スピーカ
１３    携帯電話基地局
１４    インターネット網
１５    ＷＥＢ検索サーバ
１６  携帯電話回線網
１７  携帯電話受信部
１８  音声応答装置
１９  情報検索処理部
２０  検索情報データベース
２１  音声認識装置
２２  検索情報送信用サーバ
２３  インターネットセンター
２４  携帯電話用インターネット情報・音声検索システム
【図１】
2004265217.tif 000003
【図２】
2004265217.tif 000004
【図３】
2004265217.tif 000005
【図４】
2004265217.tif 000006
【図５】
2004265217.tif 000007
【図６】
2004265217.tif 000008
【図７】
2004265217.tif 000009
【図８】
2004265217.tif 000010